(57)【要約】  【課題】  大雨の際に雨水が急激に河川に流出するのを防ぐために地中に設置される雨水貯留浸透槽の、施工を簡単にし、施工時の品質管理が容易にする。  【解決手段】  本発明の雨水貯留浸透槽は、地中に設けられた槽本体２４と、この槽本体２４内に設置されて貯水空間を確保する中詰部材２６の積層体とからなる。槽本体２４の底部２４ａ及び周壁部２４ｂの全部又は主要部が、板状部材２８を敷き詰めて構成される。隣り合う板状部材２８の間には水が漏れ出すように隙間を設ける。板状部材２８は外面に導水リブ３０を有している。板状部材２８の隙間から漏れだした水は、導水リブ３０を伝って板状部材２８の外面に広がり、土壌１２に浸透する。【選択図】  図１
2006274701.tif 000002
【特許請求の範囲】
【請求項１】
地中に設けられた槽本体と、この槽本体内に設置されて貯水空間を確保する中詰部材の積層体とを備え、前記槽本体の底部及び周壁部の全部又は主要部が、多数の板状部材を、隣り合う板状部材の間に水が漏れ出す隙間ができるように敷き詰めて構成されており、各板状部材は外面に、板状部材の隣接部から漏れ出す水を板状部材の外面に広げる導水リブを有していることを特徴とする雨水貯留浸透槽。
【請求項２】
各板状部材には、槽本体内の水を槽外に漏れ出させる透水補助孔が形成されていることを特徴とする請求項１記載の雨水貯留浸透槽。
【請求項３】
各板状部材の導水リブは板状部材の対角線上に形成され、透水補助孔は板状部材の中央部に形成されていることを特徴とする請求項２記載の雨水貯留浸透槽。
【発明の詳細な説明】
【技術分野】
【０００１】
本発明は、大雨の際に雨水が急激に河川に流出するのを防ぐために地中に設置される雨水貯留浸透槽に関するものである。
【背景技術】
【０００２】
雨水貯留浸透槽は、雨水を一時貯留し、貯留した雨水を少しずつ地中に浸透させるものである。従来の雨水貯留浸透施設はコンクリート製が主流であったが、近年は短期間で施工が可能な樹脂製の雨水貯留浸透槽が増えてきている。樹脂製の雨水貯留浸透槽は、地面を掘り下げて形成した凹所に、透水性シートで槽本体を形成すると共に、この槽本体内に樹脂製のパイプやブロックなどの中詰部材を積層して貯水空間を確保したものである（例えば特許文献１の段落００２９〜００３０、図９参照）。
【０００３】
【特許文献１】特開２００２−８８８２８号公報
【発明の開示】
【発明が解決しようとする課題】
【０００４】
透水性シートで槽本体を形成するためには、シートの合わせ目を加熱溶着して、合わせ目からの漏水や土砂流入を防止する必要がある。しかしシートの溶着作業には、溶着機などの特殊な工具や熟練した技術が必要であり、透水性シートで大型の槽本体を形成することは容易ではない。またシートの溶着作業は施工現場で行うため、施工時の品質管理が難しく、さらには雨天時には作業ができない等の問題もある。
【０００５】
本発明の目的は、以上のような問題点に鑑み、より施工が簡単で、施工時の品質管理が容易な雨水貯留浸透槽を提供することにある。
【課題を解決するための手段】
【０００６】
本発明に係る雨水貯留浸透槽は、地中に設けられた槽本体と、この槽本体内に設置されて貯水空間を確保する中詰部材の積層体とを備え、前記槽本体の底部及び周壁部の全部又は主要部が、多数の板状部材を、隣り合う板状部材の間に水が漏れ出す隙間ができるように敷き詰めて構成されており、各板状部材は外面に、板状部材の隣接部から漏れ出す水を板状部材の外面に広げる導水リブを有していることを特徴とするものである。
【０００７】
本発明に用いる板状部材には、槽本体内の水を槽外に漏れ出させる透水補助孔が形成されているものであることが好ましい。
【０００８】
また本発明に用いる板状部材は、導水リブが板状部材の対角線上に形成され、透水補助孔が板状部材の中央部に形成されているものであることが好ましい。
【発明の効果】
【０００９】
本発明によれば、槽本体の底部及び周壁部の全部又は主要部が、多数の板状部材を敷き詰めて構成され、隣り合う板状部材の隙間から槽外に漏れ出た雨水が、導水リブを伝って板状部材の外面に広がり、地中に浸透していくので、透水性シートを用いることなく浸透能力の高い雨水貯留浸透槽を構成することができる。また、特殊な工具や熟練した技術を必要とする透水性シートの溶着作業が不要となるので、雨水貯留浸透槽の施工を簡単に行うことができる。さらに、板状部材を敷き詰めて槽本体を構成するので、施工現場における品質管理も容易であると共に、天候によって施工が制約されることが少なく、工期の短縮を図ることができる。
【発明を実施するための最良の形態】
【００１０】
図１は本発明に係る雨水貯留浸透槽の一実施形態を示す。図において、１０は地下の土壌１２の中に設置された雨水貯留浸透槽、１４は雨水流入管、１６は砂沈槽、１８は流出管、２０はオーバーフロー槽、２２はオーバーフロー管である。
【００１１】
雨水貯留浸透槽１０は、底部２４ａ、周壁部２４ｂ及び天井部２４ｃを有する槽本体２４と、この槽本体２４内に積層された多数の樹脂製中詰部材２６とから構成される。中詰部材２６は槽本体２４の底部２４ａ上に積層され、槽本体２４の周壁部２４ｂ及び天井部２４ｃを内側から支えて、槽本体２４内に貯水空間を確保するものである。中詰部材２６は積層した状態で、槽本体２４内の水が水平方向及び垂直方向に自由に流通できるように形成されている。
【００１２】
この雨水貯留浸透槽１０の特徴は、槽本体２４の底部２４ａ及び周壁部２４ｂの全部又は主要部が、樹脂製の板状部材２８を多数敷き詰めて構成されていることである。板状部材２８の一例を図２に示す。この板状部材２８は、外面（土壌に接する側の面）に複数本の導水リブ３０を平行に形成したものである。板状部材２８を敷き詰めるときは、図３に示すように、隣り合う板状部材２８の間に水が漏れ出す隙間Ｓを設ける。隙間Ｓは水が少しずつ漏れ出せばよいので、非常に狭いものでよい。実際には板状部材２８を水が漏れないように敷き詰めることは難しいので、隙間Ｓは板状部材２８を敷き詰めたときに隣り合う板状部材の間に自然にできるものであってもよい。
【００１３】
上記のように板状部材２８を敷き詰めておくと、雨水貯留浸透槽１０に溜まった雨水は、図４に示すように、板状部材２８の間の隙間Ｓから槽外に漏れ出し、導水リブ３０を伝って板状部材２８の外面に広がりながら土壌１２に浸透していく。したがって導水リブがない場合より土壌への浸透面積が広くなり、浸透効率を高めることができる。
【００１４】
なお図１では、導水リブ３０の付いた板状部材２８を、槽本体の底部２４ａと、周壁部２４ｂの下部から中間領域に、敷き詰めた場合を示したが、導水リブ３０付き板状部材２８は透水性が要求される領域に敷き詰めればよいので、例えば槽本体の底部２４ａだけに敷き詰めてもよい。透水性が要求されない領域、例えば槽本体の天井部２４ｃは、導水リブのない板状部材を敷き詰めて構成してもよい。
【００１５】
また、板状部材２８は、敷き詰めた後に、隙間Ｓが略一定に保たれるようにするため、周辺に隣りの板状部材との結合部を形成しておくとよい。この結合部は、例えば図５に示すように、鳩尾形凸部３２と鳩尾形凹部３４で構成することができる。
【００１６】
また、板状部材２８には、必要に応じ透水補助孔を設けると、板状部材の隙間からだけでなく、透水補助孔からも水が漏れ出すため、透水性を高めることができる。
【００１７】
図６は、板状部材２８の敷き詰め方の他の実施形態を示す。この実施形態は、板状部材２８を、導水リブ３０が渦巻き状になるように、敷き詰めたものである。このようにすると、図３のように導水リブ３０が同方向に向く場合より浸透能力を高めることができる。
【００１８】
図７は、導水リブ付き板状部材の他の実施形態を示す。この板状部材２８は、導水リブ３０を、板状部材２８の中心から対角線方向と、各辺に直交する方向に、放射状に形成したものである。このようにすると、どの辺からも雨水が板状部材２８の外面に回り込みやすくなるので、浸透能力を高めることができる。また板状部材２８を敷き詰めるときに、導水リブ３０の方向を考慮する必要がなく、施工しやすくなる。
【００１９】
図８は、導水リブ付き板状部材のさらに他の実施形態を示す。この板状部材２８は、導水リブ３０を板状部材２８の対角線方向に形成すると共に、板状部材２８の中心部に透水補助孔３６を形成したものである。このようにすると、槽内の雨水が、板状部材２８の周辺の隙間からだけでなく、中心部の透水補助孔３６からも漏れだし、導水リブ３０を伝って板状部材２８の外面に回り込むようになるため、さらに浸透能力を高めることができる。
【００２０】
実験によると、図８の導水リブ付き板状部材（１辺が１８０mmの正方形、板厚５mm、リブ厚さ３mm、リブ高さ１０mm、透水補助孔内径４mm）は、導水リブ及び透水補助孔のない同じ大きさの板状部材に比べ、土中への雨水の浸透量が約２倍になることが確認された。
【図面の簡単な説明】
【００２１】
【図１】本発明に係る雨水貯留浸透槽の一実施形態を示す断面図。
【図２】図１の雨水貯留浸透槽に用いた板状部材を示す（Ａ）は上面側斜視図、（Ｂ）は下面側斜視図。
【図３】図２の板状部材の敷き詰め方を示す平面図。
【図４】図１の雨水貯留浸透槽における雨水の浸透状態を示す説明図。
【図５】隣り合う板状部材を結合する場合の一例を示す平面図。
【図６】図２の板状部材の敷き詰め方の他の例を示す平面図。
【図７】本発明に用いる板状部材の他の実施形態を示す（Ａ）は平面図、（Ｂ）は底面図。
【図８】本発明に用いる板状部材のさらに他の実施形態を示す（Ａ）は底面図、（Ｂ）は側面図。
【符号の説明】
【００２２】
１０：雨水貯留浸透槽
１２：土壌
２４：槽本体
２４ａ：底部
２４ｂ：周壁部
２４ｃ：天井部
２６：中詰部材
２８：板状部材
３０：導水リブ
３６：透水補助孔
【図１】
2006274701.tif 000003
【図２】
2006274701.tif 000004
【図３】
2006274701.tif 000005
【図４】
2006274701.tif 000006
【図５】
2006274701.tif 000007
【図６】
2006274701.tif 000008
【図７】
2006274701.tif 000009
【図８】
2006274701.tif 000010